(57)【要約】      （修正有）【課題】利便性の高い家電製品等の流通システム及リサイクル・リユース即時判断及下取りシステムを提供する。【解決手段】消費者は本部（サーバー）が主催するホームページにアクセスして図面を呼び込みボタンをチェックして送信ボタンにより送信する。（ステップＳ１０→Ｓ１４）サーバーはこれを受信してデータと照合しリュースの可能、不可能、下取り価格を自動的に判断及演算を行い画面に表示する。（ステップＳ１５→Ｓ１７）次いで消費者はボタン操作によりカタログ画面の呼込を行い、注文ボタンを押す。（ステップＳ１８→Ｓ１９）これにより地図画面が呼び込まれるので、これにカタログ上の商品画面をドラッグ＆ペーストする。（ステップＳ２０→Ｓ２１）商品画面には予め販売価格等の情報が格納されており、又地図画面には加盟店の住所や情報が格納されている。これにより加盟店への指示や納品伝票の作成や配送管理を行う。（ステップＳ２２）【選択図】図７
2004240928.tif 000002
【特許請求の範囲】
【請求項１】
消費者（クライアントＡ）と地区加盟店（クライアントＢ）と本部（サーバ）からなる通信ネットワークコンピューターで接続される家電製品等の流通システム及リサイクル・リユース及下取り即時判断システムであって、クライアントＡがサーバにアクセスしてリュース可能、不可能、下取り可能の自動判断画面を呼込む手段を第一段階とし、表示された選択ボタンから必要項目をチエックし、送信する手段を第二段階とし、サーバが判断して可能項目を提供する手段を第三段階とし、クライアントＡが商品購入画面を呼込む手段を第四段階とし、地図画面を呼込む手段を第五段階とし、表示された自宅アイコンに商品画像をドラック＆ペーストする手段を第６段階とし、地区加盟店のアイコンにもドラック＆ペーストする手段を第７段階とするリサイクル・リユース即時判断及下取り及商品受発注流通システム。
【請求項２】
請求項１において地図上のアイコンに画像をドラック＆ペーストする手段を特徴としたクライアントＡ、Ｂの商品流通管理システム。
【請求項３】
請求項１において地図上のアイコンに画像をドラック＆ペーストする手段を特徴とした商品の販売価格や下取り商品の演算システム。
【請求項４】
請求項１において地図上のアイコンに画像をドラック＆ペーストする手段を特徴としたクライアントＢへの商品発送管理システム。
【発明の詳細な説明】
【０００１】
【発明の属する技術分野】本発明はコンピューター通信ネットワークで行われる家電製品等の流通システム及リサイクル・リユース即時判断及下取りシステムに関する。
【０００２】
【従来の技術】コンピューター通信ネットワークで行われる家電製品等の販売はインターネット等で行われ、最近では消費者に利便性が高いため指示され売上も拡大している。
【０００３】
【発明が解決しようとする課題】しかしながら、消費者から見れば遠くはなれた業者から購入するのはアフター面で心配があり。
【０００４】また、下取りやリサイクル・リユースを受けることができなかった。
【０００５】また、故障の場合などは製品等を発送してアフターサービスを受けなくてはならず利便性が悪い。
【０００６】
【課題を解決するための手段】よって、本発明はコンピューター通信ネットワークを介して下取りやリサイクル・リユースを即時判断し商品販売や地区加盟店がその情報を共有して納品やアフターサービスを提供する。
【０００７】また、それに関する業務の管理や流通システムを提供する。
【０００８】
【発明の実施の形態】以下、図面を参照して本発明の実施形態を詳細に説明する。
【０００９】図１は本発明実施形態のシステム構成を示す。図１において、１は消費者側が使用するクライアントＡであり、５は加盟店側が使用するクライアントＢであり、本部側のサーバ３と通信を行うためのプログラムが予めインストール（実装）されている。このプログラムは、ＷＷＷ（ＷｏｒｌｄＷｉｄｅＷｅｂ）と呼ばれる通信プロトコル、すなわち、インターネットなどの通信ネットワークで使用されている通信プロトコルで通信を行う。
【００１０】サーバ３はクライアントで表示するＨＴＭＬ文書および他の情報、本形態では、このＨＴＭＬ文書に名称（タグと呼ばれる）が記載されたリンク可能なファイル、たとえば、ＪＡＶＡプログラム、ＸＭＬプログラム、イメージ、音声、テキスト、プログラム等のファイルを内部のハードディスクのような記録装置に記憶している。サーバ３には本発明に係る情報データベースを記憶した記憶装置４が接続される。
【０００９】サーバには予め地図情報等や画像や顧客データが表示Ｙされたアイコンに入力されると演算されたり、データを集約して管理するプログラムが格納されている。
【００１１】図１は本発明実施形態のシステム構成を示す。
【００１２】図２〜図６はクライアントの表示器に表示される表示の一例を示す。図７は３側の処理手順を示す。
【００１３】請求項１を説明する。
【００１４】消費者（クライアントＡ）は本部（サーバ）が主催するホームページにアクセスして図２の１０の画面を呼込み２０のボタンをチエックして３０の送信ボタンを操作して送信する。（図７ステップＳ１０→Ｓ１４）。
【００１５】送信された情報からサーバは図３の４０の画面を表示する。（図７ステップＳ１５→Ｓ１７）。
【００１６】５０や６０の演算データも提供する。
【００１７】消費者（クライアントＡ）は６５のボタンを操作して図４の７０の画面を呼込む。（図７ステップＳ１８）。
【００１８】製品購入には８５の注文ボタンを操作して図５の９０の画面を呼込む。（図７ステップＳ１９）。
【００１９】１００のアイコンや１１０のアイコンが地図上に提供されている。
【００２０】消費者（クライアントＡ）は図６の７０と９０の二つのファイルを画面に表示させ、
【００２１】８０の画像を１００や１１０にドラック＆ペーストする。（図７ステップＳ２０→Ｓ２１）。
【００２２】製品画像には予め販売価格等の情報が格納されている。
【００２３】予め地図制作時に１００のアイコンには顧客の住所が格納されている。
【００２４】予め地図制作時に１１０のアイコンには加盟店の住所や情報が格納されている。
【００２５】サーバはドラック＆ペーストされた製品画像やアイコン情報から格納されたプログラムが演算し販売差額等を提供する。
【００２６】又、加盟店への指示や納品伝票作成や配送管理等を行う。（図７ステップＳ２２）。
【００２７】請求項２を説明する。
【００２８】予め消費者の地図上のアイコンには住所やセキュリティー可能なカード番号が入力できる仕組みに設計されている。
【００２９】又、加盟店の地図上には業態やサービスが入力できる仕組み設計されている。
【００３０】消費者は購入したい製品画像を地図上の自分の自宅アイコンドラック＆ペーストして発注し、自宅アイコンを加盟店の地図上ドラック＆ペーストして地区の加盟店を選別する。
【００３１】その結果サーバ側では加盟店の選別指定、顧客の購入管理をプログラムが行い管理ファイルを生成する。
【００３２】請求項３を説明する。
【００３３】予め製品画像には予め販売価格等の情報が格納されていて指定された地図上のアイコンにドラック＆ペーストするとファイル回覧履歴をログ化し、商品の価格から下取り価格を差し引いた価格がサーバで演算表示される。
【００３４】又、消費者の地図上の自宅アイコンにドラック＆ペーストすると発注情報が終結される。
【００３５】又、消費者の地図上の加盟店アイコンにドラック＆ペーストすると加盟店指定が終結される。
【００３６】請求項４を説明する。
【００３７】本部側から地図上の顧客の自宅アイコンやカタログ画面の画像を加盟店側の地図上のアイコンにドラック＆ペーストすると消費者の商品発注や配達業務が生成される。
【００３８】
【発明の効果】
【００３９】本発明により消費者にとっては下取り価格やリサイクル情報が瞬時にわかるし、画像を地図上のアイコンにドラック＆ペーストする事により地域の加盟店の場所や発注が簡単にできるため利便性は高い。
【００４０】加盟店は消費者の地図や自宅アイコン情報から場所や納品情報等が回覧できるので業務効率をはかれる。
【００４１】本部は加盟店や消費者の受発注を管理できるので業務の効率と高度な流通管理が行なえる。
【図面の簡単な説明】
【図１】本発明実施形態のシステム構成を示すブロック図である。
【図２】本発明実施形態の表示例を示す説明図である。
【図３】本発明実施形態の表示例を示す説明図である。
【図４】本発明実施形態の表示例を示す説明図である。
【図５】本発明実施形態の表示例を示す説明図である。
【図６】本発明実施形態の表示例を示す説明図である。
【図７】クライアント１側とクライアント５側とサーバ３側の処理手順を示すフローチャートである。
【符号の説明】
１、クライアントＡ。２、通信ネットワーク。３、サーバ。４、記憶装置。５、クライアントＢ。
【図１】
2004240928.tif 000003
【図２】
2004240928.tif 000004
【図３】
2004240928.tif 000005
【図４】
2004240928.tif 000006
【図５】
2004240928.tif 000007
【図６】
2004240928.tif 000008
【図７】
2004240928.tif 000009
【図８】
2004240928.tif 000010
【手続補正書】
【提出日】平成15年4月21日(2003.4.21)
【手続補正２】
【補正対象書類名】図面
【補正対象項目名】全図
【補正方法】変更
【補正の内容】
【図１】
2004240928.tif 000011
【図２】
2004240928.tif 000012
【図３】
2004240928.tif 000013
【図４】
2004240928.tif 000014
【図５】
2004240928.tif 000015
【図６】
2004240928.tif 000016
【図７】
2004240928.tif 000017